(57)【要約】【課題】試薬分注プローブの数よりも多い数の試薬の反応時間を延長することができる自動分析装置を提供する。【解決手段】１サイクルタイム毎に移動前とは異なる各停止位置で停止し、１ラウンドタイム毎に同じ停止位置で停止する反応容器１９と、洗浄位置Ｗの反応容器１９を洗浄する洗浄ノズル４０と、第１及び第２試薬吐出位置Ｐｂ，Ｐｄの反応容器１９に試薬を吐出する第１及び第２試薬分注プローブ２３，２７とを備え、洗浄が行われてから洗浄位置Ｗでｎ回目に停止するまで検査項目分析用の反応容器１９の洗浄を停止させ、検査項目分析用の反応容器１９が第１及び第２試薬吐出位置Ｐｂ，Ｐｄで１回目からｎ回目に停止するまでの間に当該反応容器１９に試薬の吐出が可能なｎ回のタイミングのうちの少なくとも１回のタイミングで試薬を吐出させる。【選択図】  図６
2014070901.tif 000002
【特許請求の範囲】
【請求項１】
１サイクルタイム毎に一方向へ移動して移動前とは異なる洗浄位置、試料吐出位置、試薬吐出位置、及び撹拌位置をそれぞれ１つ以上含む各停止位置で停止し、前記１サイクルタイムよりも長い時間である１ラウンドタイム毎に同じ停止位置で停止する反応容器と、
前記洗浄位置で停止した反応容器を洗浄する洗浄ノズルと、
前記試料吐出位置で停止した反応容器に試料を吐出するサンプル分注プローブと、
前記試薬吐出位置で停止した反応容器に試薬を吐出する試薬分注プローブと、
前記撹拌位置で停止した反応容器内の前記試料及び前記試薬の混合液を撹拌する撹拌子と、
前記洗浄ノズルにより洗浄が行われてから前記試料吐出位置で１回目に停止する反応容器が前記洗浄位置でｎ（ｎは２以上の整数）回目に停止するまで当該反応容器の洗浄を停止させ、前記試料吐出位置で１回目に停止する反応容器が前記試薬吐出位置で１回目から前記ｎ回目に停止するまでの間に当該反応容器に試薬の吐出が可能な前記ｎ回のタイミングのうちの少なくとも１回のタイミングで試薬を吐出させる分析制御部とを
備えたことを特徴とする自動分析装置。
【請求項２】
前記分析制御部は、前記試料吐出位置で１回目に停止する反応容器が前記撹拌位置で１回目から前記ｎ回目に停止するまでの間に当該反応容器内の混合液の撹拌が可能な前記ｎ回のタイミングのうちの少なくとも１回のタイミングで当該混合液を撹拌させることを特徴とする請求項１に記載の自動分析装置。
【請求項３】
前記分析制御部は、前記試料吐出位置で１回目に停止する反応容器が前記試料吐出位置で１回目から前記ｎ回目に停止するまでの間に当該反応容器に試料の吐出が可能な前記ｎ回のタイミングのうちの少なくとも１回のタイミングで試料を吐出させることを特徴とする請求項１に記載の自動分析装置。
【請求項４】
前記撹拌子により撹拌が行われた後に測定位置を複数回通過する反応容器内の混合液を測定する測定部、及び前記試料が標準試料である場合に前記測定部の測定により生成される標準データに基づいて検量データを生成する演算部を有し、
前記測定部は、前記試料吐出位置で１回目に停止する反応容器に試薬が吐出されてから前記洗浄位置で前記ｎ回目に停止するまでの間、前記測定位置の通過毎に当該反応容器内の前記標準試料及び前記試薬の混合液を測定し、
前記演算部は、前記測定部の測定により生成された複数の標準データのうちの少なくとも１つのタイミングの標準データに基づいて少なくとも１つの検量データを生成することを特徴とする請求項１に記載の自動分析装置。
【請求項５】
前記測定部は、前記試料が被検試料である場合に前記試料吐出位置で１回目に停止する反応容器に試薬が吐出されてから前記洗浄位置で前記ｎ回目に停止するまでの間、前記測定位置の通過毎に当該反応容器内の前記被検試料及び前記試薬の混合液を測定し、
前記演算部は、前記試料が被検試料である場合に前記測定部の測定により生成される複数の被検データのうちの少なくとも１つのタイミングの被検データ及び前記少なくとも１つの検量データに基づいて分析データを生成することを特徴とする請求項４に記載の自動分析装置。
【請求項６】
前記洗浄ノズルは、少なくとも前記洗浄位置の第１洗浄位置に対応する第１洗浄ノズル及び第２洗浄位置に対応する第２洗浄ノズルからなり、
前記第１及び第２洗浄ノズルはそれぞれ独立して移動し、前記第１洗浄位置で停止した反応容器及び前記第２洗浄位置で停止した反応容器の洗浄が可能な位置まで進入して停止することを特徴とする請求項１乃至請求項５のいずれかに記載の自動分析装置。
【請求項７】
ラウンド数を設定するための入力が可能な操作部を有し、
前記ラウンド数は１又は前記ｎであり、
前記分析制御部は、前記ラウンド数が１である場合、前記試料吐出位置で１回目に停止する反応容器が前記洗浄位置で１回目に停止したときに当該反応容器を洗浄させ、前記試料吐出位置で１回目に停止する反応容器が前記試薬吐出位置で１回目に停止したときに試薬を吐出させてから前記洗浄位置で１回目に停止するまでの間に当該反応容器内の混合液を測定させることを特徴とする請求項１に記載の自動分析装置。
【発明の詳細な説明】
【技術分野】
【０００１】
本発明の実施形態は、被検体から採取された被検試料等の液体に含まれる成分を分析する自動分析装置に関する。
【背景技術】
【０００２】
自動分析装置は生化学検査項目や免疫検査項目等を対象とし、被検体から採取された被検試料と各検査項目の分析に用いる試薬との混合液の反応によって生ずる色調や濁りの変化を光学的に測定する。この測定により、被検試料中の様々な検査項目成分の濃度や酵素の活性等で表される分析データを生成する。
【０００３】
自動分析装置では、一定のサイクルタイム毎に移動して停止する複数の反応容器を備えている。そして、サンプル分注プローブは、試料容器から被検試料を吸引して試料吐出位置で停止する反応容器に吐出する。また、試薬分注プローブは、検査に応じて設定された検査項目分析用の試薬を試薬容器から吸引して試薬吐出位置で停止する反応容器に吐出する。また、撹拌子は、撹拌位置で停止する被検試料及び試薬が吐出された反応容器内の混合液を撹拌する。また、測定部は、撹拌された反応容器内の混合液を測定する。また、洗浄ノズルは、試料又は試薬が吐出されてから所定の時間経過後に洗浄位置で停止する反応容器を洗浄する。
【０００４】
ところで、被検試料及び試薬の反応時間は検査項目毎に異なる。長い反応時間を必要とする検査項目では、所定の時間経過後に行われる反応容器の洗浄により反応が途中で打ち切られるため、サイクルタイムを長くすることで反応時間を延長することが考えられる。しかしながら、大半の検査項目が長い反応時間を必要としないため、サイクルタイムを長くすることによりスループットが低下する問題がある。この問題に対して、反応容器を洗浄する複数の洗浄ノズルをそれぞれ独立して動かし、長い反応時間を必要とする反応容器の洗浄を停止させて反応時間を延長させることにより、スループットの低下を低減できる自動分析装置がある。
【０００５】
また、試薬の数は検査項目毎に異なり、大半の検査項目では１試薬系の第１試薬又は２試薬系の第１及び第２試薬からなり、２つの第１及び第２試薬分注プローブにより分注が行われる。そして、第１及び第２試薬分注プローブの数よりも多い例えば３試薬系の第１乃至第３試薬からなる検査項目に対して、第１及び第２試薬分注プローブで分注可能な自動分析装置がある。
【先行技術文献】
【特許文献】
【０００６】
【特許文献１】特開平６−１６０３９８号公報
【特許文献２】特開２００５−１６４５０８号公報
【発明の概要】
【発明が解決しようとする課題】
【０００７】
しかしながら、反応時間の延長が可能な自動分析装置では、試料及び第１試薬による第１反応の最大時間が固定され、第１反応の時間を延長できない問題がある。また、試薬分注プローブの数よりも多い数の試薬を分注することができない問題がある。また、試薬分注プローブの数よりも多い数の試薬の分注が可能な自動分析装置では、反応時間を延長することができない問題がある。
【０００８】
実施形態は、上記問題点を解決するためになされたもので、試薬分注プローブの数よりも多い数の試薬の反応時間を延長することができる自動分析装置を提供することを目的とする。
【課題を解決するための手段】
【０００９】
上記目的を達成するために、実施形態の自動分析装置は、１サイクルタイム毎に一方向へ移動して移動前とは異なる洗浄位置、試料吐出位置、試薬吐出位置、及び撹拌位置をそれぞれ１つ以上含む各停止位置で停止し、前記１サイクルタイムよりも長い時間である１ラウンドタイム毎に同じ停止位置で停止する反応容器と、前記洗浄位置で停止した反応容器を洗浄する洗浄ノズルと、前記試料吐出位置で停止した反応容器に試料を吐出するサンプル分注プローブと、前記試薬吐出位置で停止した反応容器に試薬を吐出する試薬分注プローブと、前記撹拌位置で停止した反応容器内の前記試料及び前記試薬の混合液を撹拌する撹拌子と、前記洗浄ノズルにより洗浄が行われてから前記試料吐出位置で１回目に停止する反応容器が前記洗浄位置でｎ（ｎは２以上の整数）回目に停止するまで当該反応容器の洗浄を停止させ、前記試料吐出位置で１回目に停止する反応容器が前記試薬吐出位置で１回目から前記ｎ回目に停止するまでの間に当該反応容器に試薬の吐出が可能な前記ｎ回のタイミングのうちの少なくとも１回のタイミングで試薬を吐出させる分析制御部とを備えたことを特徴とする。
【図面の簡単な説明】
【００１０】
【図１】実施形態に係る自動分析装置の構成を示すブロック図。
【図２】実施形態に係る分析部の構成を示す斜視図。
【図３】実施形態に係る分析部の各分析ユニットを示す平面図。
【図４】実施形態に係る反応ディスクに保持された各反応容器及び測定部を示す図。
【図５】実施形態に係る第１及び第２試薬ラック、反応ディスク、第１及び第２試薬分注プローブ、並びに第１及び第２試薬分注アームの試薬分注に関る動作のタイミングの一例を示すタイミングチャート。
【図６】実施形態に係る洗浄ノズルの構成及び各反応容器が停止する各停止位置の一例を示す図。
【図７】実施形態に係る表示部に表示された検査項目の分析パラメータ設定画面の一例を示す図。
【図８】実施形態に係る表示部に表示された検査項目の分析パラメータ設定画面の一例を示す図。
【図９】実施形態に係る表示部に表示された検査項目の分析パラメータ設定画面の一例を示す図。
【発明を実施するための形態】
【００１１】
以下、図面を参照して実施形態を説明する。
【００１２】
図１は、実施形態に係る自動分析装置の構成を示したブロック図である。この自動分析装置１００は、各検査項目の標準試料や被検試料と各検査項目の分析用の試薬との混合液を測定して標準データや被検データを生成する分析部１０と、分析部１０の測定に関る各分析ユニットを駆動制御する分析制御部５０と、分析部１０で生成された標準データや被検データを処理して検量データや分析データの生成を行うデータ処理部６０とを備えている。
【００１３】
また、自動分析装置１００は、データ処理部６０で生成された検量データや分析データを印刷出力や表示出力する出力部７０と、各検査項目の分析パラメータを設定するための入力等を行う操作部８０と、分析制御部５０、データ処理部６０、及び出力部７０を統括して制御するシステム制御部９０とを備えている。
【００１４】
図２は、分析部１０の構成を示した斜視図である。この分析部１０は、標準試料や被検試料等の各試料を収容する試料容器１１と、この試料容器１１を移動可能に保持するサンプルラック１２と、各検査項分析用の例えば１試薬系乃至４試薬系の第１乃至第４試薬の各試薬を収容する試薬容器１３と、この試薬容器１３を保冷する試薬庫１７とを備えている。
【００１５】
また、試薬庫１７内に格納された試薬容器１３を移動可能に保持する第１及び第２試薬ラック１５，１６と、この第１及び第２試薬ラック１５，１６に保持された試薬容器１３に貼付されるラベルから試薬情報を読み取るリーダ１８と、円周上に一列に配置された複数の反応容器１９を一方向へ回転移動可能に保持する反応ディスク２０とを備えている。
【００１６】
また、サンプルラック１２に保持された試料容器１１内の試料を吸引して反応容器１９内へ吐出する分注を行うサンプル分注プローブ２１と、サンプル分注プローブ２１を回動移動及び上下移動可能に保持するサンプル分注アーム２２と、第１試薬ラック１５に保持された試薬容器１３内の試薬を吸引して各試料が吐出された反応容器１９内に吐出する分注を行う第１試薬分注プローブ２３とを備えている。
【００１７】
また、第１試薬分注プローブ２３を回動移動及び上下移動可能に保持する第１試薬分注アーム２４と、反応容器１９内に吐出された試料と試薬の混合液を撹拌する第１撹拌子２５と、第１撹拌子２５を回動移動及び上下移動可能に保持する第１撹拌アーム２６と、第２試薬ラック１６に保持された試薬容器１３内の試薬を吸引して試料が吐出された反応容器１９内に吐出する分注を行う第２試薬分注プローブ２７とを備えている。
【００１８】
また、第２試薬分注プローブ２７を回動移動及び上下移動可能に保持する第２試薬分注アーム２８と、反応容器１９内の各試料及び試薬の混合液を撹拌する第２撹拌子２９と、第２撹拌子２９を回動移動及び上下移動可能に保持する第２撹拌アーム３０と、反応容器１９内の混合液に光を照射して光学的に測定する測定部３１と、測定部３１で測定を終了した反応容器１９内を洗浄する洗浄ノズル４０とを備えている。
【００１９】
そして、測定部３１は、反応容器１９に光を照射し、反応容器１９内の標準試料や被検試料を含む混合液を透過した光を検出する検出信号に基づいて、例えば吸光度データや吸光度データの変化量で表される標準データや被検データを生成する。そして、生成した標準データや被検データをデータ処理部６０に出力する。
【００２０】
分析制御部５０は、分析部１０の各分析ユニットを駆動する移動機構を有する移動機構部５１と、各検査項目の分析パラメータ等に基づいて移動機構部５１の各移動機構や分析部１０の測定部３１を制御する機構制御部５２とを備えている。
【００２１】
移動機構部５１は、サンプルラック１２を駆動して試料容器１１を移動する。また、第１試薬ラック１５及び第２試薬ラック１６をそれぞれ独立に駆動して試薬容器１３を回動移動する。また、反応ディスク２０を駆動して反応容器１９を回転移動する。また、サンプル分注アーム２２、第１試薬分注アーム２４、第２試薬分注アーム２８、第１撹拌アーム２６、及び第２撹拌アーム３０をそれぞれ回動駆動及び上下駆動して、サンプル分注プローブ２１、第１試薬分注プローブ２３、第２試薬分注プローブ２７、第１撹拌子２５、及び第２撹拌子２９をそれぞれ回動移動及び上下移動する。また、洗浄ノズル４０を上下移動する。
【００２２】
また、移動機構部５１は、サンプル分注プローブ２１に試料の吸引及び吐出を行わせる。また、第１試薬分注プローブ２３に試薬の吸引及び吐出を行わせる。第２試薬分注プローブ２７に試薬の吸引及び吐出を行わせる。また、第１撹拌子２５に反応容器１９内の混合液の撹拌を行わせる。また、第２撹拌子２９に反応容器１９内の混合液の撹拌を行わせる。また、洗浄ノズル４０に反応容器１９内の洗浄を行わせる。
【００２３】
図１のデータ処理部６０は、分析部１０の測定部３１から出力された標準データや被検データを処理して各検査項目の検量データや分析データを生成する演算部６１と、演算部６１で生成された標準データや分析データを保存するデータ記憶部６２とを備えている。
【００２４】
演算部６１は、測定部３１から出力された標準データ及びこの標準データの標準試料に予め設定された標準値から、各検査項目成分の濃度や活性と標準データの関係を表す検量データを生成し、生成した検量データを出力部７０に出力すると共にデータ記憶部６２に保存する。
【００２５】
また、測定部３１から出力された被検データに対応する検査項目の検量データをデータ記憶部６２から読み出し、読み出した検量データを用いて被検データから濃度値や酵素の活性値として表される分析データを生成する。そして、生成した分析データを出力部７０に出力すると共にデータ記憶部６２に保存する。
【００２６】
データ記憶部６２は、ハードディスク等のメモリデバイスを備え、演算部６１から出力された検量データを検査項目毎に保存する。また、演算部６１から出力された各検査項目の分析データを被検試料毎に保存する。
【００２７】
出力部７０は、データ処理部６０の演算部６１から出力された検量データや分析データを印刷出力する印刷部７１及び表示出力する表示部７２を備えている。そして、印刷部７１は、プリンタなどを備え、演算部６１から出力された検量データや分析データを予め設定されたフォーマットに従って、プリンタ用紙などに印刷する。
【００２８】
表示部７２は、ＣＲＴや液晶パネルなどのモニタを備え、演算部６１から出力された検量データや分析データを表示する。また、検査項目毎にラウンド数等の分析パラメータを設定するための分析パラメータ設定画面、被検試料毎にこの被検試料を識別する氏名やＩＤ等の被検識別情報の設定及び検査に必要な検査項目を設定するための検査項目設定画面等を表示する。
【００２９】
操作部８０は、キーボード、マウス、ボタン、タッチキーパネルなどの入力デバイスを備え、各検査項目の分析パラメータを設定するための入力、被検試料の被検識別情報及び検査項目を設定するための入力等を行う。
【００３０】
システム制御部９０は、ＣＰＵ及び記憶回路を備え、操作部８０からの操作により入力されたコマンド信号、各検査項目の分析パラメータ、被検識別情報及び検査項目等の入力情報を記憶回路に記憶した後、これらの入力情報に基づいて、分析制御部５０、データ処理部６０、及び出力部７０を統括してシステム全体を制御する。
【００３１】
次に、図２乃至図６を参照して、分析部１０の各分析ユニットの動作の一例を説明する。  
図３は、分析部１０の各分析ユニットを示した平面図である。この分析部１０の第１試薬ラック１５は、試薬庫１７内に配置され、複数の試薬容器１３を同心円の外円周上に配列保持する。また、第２試薬ラック１６は、試薬庫１７内の第１試薬ラック１５内周に配置され、複数の試薬容器１３を前記同心円の内円周上に配列保持する。そして、第１及び第２試薬ラック１５，１６は、分析制御部５０の移動機構部５１によりそれぞれ独立して回動駆動される。
【００３２】
第１試薬ラック１５は、第１試薬分注プローブ２３により試薬の分注が行われるとき、分注対象の試薬を収容する試薬容器１３を回動移動して第１試薬吸引位置Ｐ１で停止させる。また、第２試薬ラック１６は、第２試薬分注プローブ２７により試薬の分注が行われるとき、分注対象の試薬を収容する試薬容器１３を回動移動して第２試薬吸引位置Ｐ２で停止させる。
【００３３】
図４は、反応ディスク２０に保持された各反応容器１９及び測定部３１を示した図である。この反応ディスク２０は、移動機構部５１により回転駆動される。そして、各反応容器１９は、１サイクルタイム毎に一方向へ回転移動して移動前とは異なる第１及び第２試薬吐出位置Ｐｂ，Ｐｄ並びに洗浄位置Ｗ等の各停止位置で停止し、１サイクルタイムよりも長い時間である１ラウンドタイム毎に同じ停止位置で停止する。ここでは、反応ディスク２０の角度θの回転駆動により、１サイクルタイム毎に矢印Ｒ１方向へ回転移動して、例えば移動前にＲ１方向とは反対方向に隣接する反応容器１９の位置である、１ピッチ進行した位置で停止する。
【００３４】
測定部３１は、各反応容器１９の内外周に跨って配置され、反応ディスク２０の回転毎に測定位置Ｐｍを通過する各反応容器１９に光を照射する。そして、測定位置Ｐｍの通過毎に各反応容器１９内の混合液を透過した光を検出して標準データや被検データを生成する。
【００３５】
図５は、第１及び第２試薬ラック１５，１６、反応ディスク２０、第１及び第２試薬分注プローブ２３，２７、並びに第１及び第２試薬分注アーム２４，２８の試薬分注に関る動作のタイミングの一例を示したタイミングチャートである。このタイミングチャートにおける試薬分注は、１サイクルタイムで行われる。
【００３６】
第１及び第２試薬ラック１５，１６が同じタイミングで回動することにより、分注対象の試薬容器１３は、第１及び第２試薬吸引位置Ｐ１，Ｐ２で停止する。反応ディスク２０の回転により、各反応容器１９は１ピッチ進行して各位置で停止する。第１及び第２試薬分注アーム２４，２８が同じタイミングで回動することにより、第１及び第２試薬分注プローブ２３，２７はホームポジションから移動して第１及び第２試薬吸引位置Ｐ１，Ｐ２の試薬容器１３上方で停止する。
【００３７】
第１及び第２試薬分注アーム２４，２８が同じタイミングで下方向へ移動することより、第１及び第２試薬分注プローブ２３，２７は第１及び第２試薬吸引位置Ｐ１，Ｐ２の試薬容器１３内の試薬の吸引が可能な位置で停止する。第１及び第２試薬分注アーム２４，２８が停止した後、第１及び第２試薬分注プローブ２３，２７は、第１及び第２試薬吸引位置Ｐ１，Ｐ２の試薬容器１３内の試薬を同じタイミングで吸引する。第１及び第２試薬分注プローブ２３，２７が試薬を吸引した後、第１及び第２試薬分注アーム２４，２８が同じタイミングで上方向へ移動することにより、第１及び第２試薬分注プローブ２３，２７は第１及び第２試薬吸引位置Ｐ１，Ｐ２の試薬容器１３上方で停止する。
【００３８】
第１及び第２試薬分注アーム２４，２８が同じタイミングで回動することにより、第１及び第２試薬分注プローブ２３，２７は第１及び第２試薬吐出位置Ｐｂ，Ｐｄの反応容器１９上方で停止する。第１及び第２試薬分注プローブ２３，２７が停止した後、第１及び第２試薬分注プローブ２３，２７は、第１及び第２試薬吐出位置Ｐｂ，Ｐｄで停止する反応容器１９内に同じタイミングで試薬を吐出する。第１及び第２試薬分注プローブ２３，２７が試薬を吐出した後、第１及び第２試薬分注アーム２４，２８が同じタイミングで回動することにより、第１及び第２試薬分注プローブ２３，２７はホームポジションで停止する。
【００３９】
このように、第１及び第２試薬ラック１５，１６、第１及び第２試薬分注アーム２４，２８、並びに第１及び第２試薬分注プローブ２３，２７をそれぞれ同じタイミングで作動させることにより、２つの試薬を短時間で分注させることができる。
【００４０】
図６は、洗浄ノズル４０の構成及び各反応容器１９が停止する各停止位置の一例を示した図である。  
先ず、洗浄ノズル４０の構成について説明する。  
洗浄ノズル４０は、例えば第１乃至第５洗浄ノズル４１乃至４５により構成される。そして、第１乃至第５洗浄ノズル４１乃至４５は、洗浄位置Ｗの第１乃至第５洗浄位置Ｗ１乃至Ｗ５で移動機構部５１の上下駆動によりそれぞれ独立して上下方向に移動可能に配置される。
【００４１】
各第１乃至第５洗浄ノズル４１乃至４５は、反応ディスク２０が回転している間、反応ディスク２０上方の上停止位置で停止している。そして、反応ディスク２０が停止し、各第１乃至第５洗浄位置Ｗ１乃至Ｗ５で洗浄対象の反応容器１９が停止しているとき、下方向に移動して反応容器１９内に進入し、下端が底面に近接する下停止位置で停止して洗浄を行う。洗浄を終了した後、上方向に移動して上停止位置で停止する。
【００４２】
第１洗浄ノズル４１は、洗浄対象の反応容器１９が第１洗浄位置Ｗ１で停止しているとき、下方向に移動して下停止位置で停止する。そして、反応容器１９内の混合液の吸引による洗浄を行う。また、洗浄対象以外の反応容器１９が第１洗浄位置Ｗ１で停止しているとき、上停止位置に位置して洗浄を停止する。
【００４３】
第２洗浄ノズル４２は、第１洗浄位置Ｗ１で洗浄が行われた反応容器１９が第２洗浄位置Ｗ２で停止しているとき、下方向に移動して下停止位置で停止する。そして、反応容器１９内に残留する混合液を洗い落とすための例えばアルカリ性洗浄液等の第１の洗浄液の吐出及び吐出した第１の洗浄液の吸引による洗浄を行う。また、第１洗浄位置Ｗ１で混合液の吸引が行われた反応容器１９以外の反応容器１９が第２洗浄位置Ｗ２で停止しているとき、上停止位置に位置して洗浄を停止する。
【００４４】
第３洗浄ノズル４３は、第２洗浄位置Ｗ２で洗浄が行われた反応容器１９が第３洗浄位置Ｗ３で停止しているとき、下方向に移動して下停止位置で停止する。そして、反応容器１９内の第１の洗浄液では落とすことができない混合液を洗い落とすための例えば酸性洗浄液等の第２の洗浄液の吐出及び吐出した第２の洗浄液の吸引による洗浄を行う。また、第２洗浄位置Ｗ２で洗浄が行われた反応容器１９以外の反応容器１９が第３洗浄位置Ｗ３で停止しているとき、上停止位置に位置して洗浄を停止する。
【００４５】
第４洗浄ノズル４４は、第３洗浄位置Ｗ３で洗浄が行われた反応容器１９が第４洗浄位置Ｗ４で停止しているとき、下方向に移動して下停止位置で停止する。そして、反応容器１９内の第２の洗浄液を洗い落とすための洗浄水の吐出及び吐出した洗浄水の吸引による洗浄を行う。また、第３洗浄位置Ｗ３で洗浄が行われた反応容器１９以外の反応容器１９が第４洗浄位置Ｗ４で停止しているとき、上停止位置で位置して洗浄を停止する。
【００４６】
第５洗浄ノズル４５は、第４洗浄位置Ｗ４で洗浄が行われた反応容器１９が第５洗浄位置Ｗ５で停止しているとき、下方向に移動して下停止位置で停止する。そして、反応容器１９内に残留する洗浄水の吸引による洗浄を行う。また、第４洗浄位置Ｗ４で洗浄が行われた反応容器１９以外の反応容器１９が第５洗浄位置Ｗ５で停止しているとき、上停止位置で位置して洗浄を停止する。
【００４７】
次に、反応ディスク２０の回転毎に各反応容器１９が停止する各停止位置、並びに各停止位置における試料と試薬の分注及び撹拌の動作の一例を説明する。  
分析制御部５０の機構制御部５２は、洗浄ノズル４０の第５洗浄ノズル４５が上停止位置で停止している状態で、洗浄を終えて洗浄位置Ｗの第５洗浄位置Ｗ５で停止しているときの位置を開始位置とし、開始位置の反応容器１９を被検試料毎に設定された検査項目の分析用として決定する。検査項目分析用として決定された反応容器１９は、試料吐出位置Ｐａ、第１試薬吐出位置Ｐｂ、第１撹拌位置Ｐｃ、第２試薬吐出位置Ｐｄ、第２撹拌位置Ｐｅ、洗浄位置Ｗの順に停止する。
【００４８】
ここで、操作部８０からの入力により分析パラメータのラウンド数として１が設定されていると、機構制御部５２は、洗浄が行われてから洗浄位置Ｗで１回目に停止した検査項目分析用の反応容器１９の洗浄を行わせる。また、ラウンド数としてｎ（２以上の整数）が設定されていると、洗浄が行われてから洗浄位置Ｗでｎ回目に停止するまで検査項目分析用の反応容器１９の洗浄を停止させる。このため、検査項目分析用の反応容器１９は、洗浄が行われてから次に洗浄が行われるまでの間に試料吐出位置Ｐａ、第１試薬吐出位置Ｐｂ、第１撹拌位置Ｐｃ、第２試薬吐出位置Ｐｄ、及び第２撹拌位置Ｐｅの各停止位置でｎ回停止する。
【００４９】
従って、試料吐出位置Ｐａで検査項目分析用の反応容器１９にｎ回のタイミングで試料の吐出が可能となり、ｎ回のタイミングのうちの少なくとも１回のタイミングで試料を吐出させることができる。また、第１試薬吐出位置Ｐｂで検査項目分析用の反応容器１９にｎ回のタイミングで試薬の吐出が可能となり、ｎ回のタイミングのうちの少なくとも１回のタイミングで試薬を吐出させることができる。また、第１撹拌位置Ｐｃで検査項目分析用の反応容器１９内の混合液の撹拌がｎ回のタイミングで可能となり、ｎ回のタイミングのうちの少なくとも１回のタイミングで混合液を撹拌させることができる。また、第２試薬吐出位置Ｐｄで検査項目分析用の反応容器１９にｎ回のタイミングで試薬の吐出が可能となり、ｎ回のタイミングのうちの少なくとも１回のタイミングで試薬を吐出させることができる。また、第２撹拌位置Ｐｅで検査項目分析用の反応容器１９内の混合液の撹拌がｎ回のタイミングで可能となり、ｎ回のタイミングのうちの少なくとも１回のタイミングで混合液を撹拌させることができる。
【００５０】
そして、ラウンド数としてｎが設定されている場合、検査項目分析用として決定された反応容器１９は、１ラウンドタイム後に開始位置と同じ停止位置で停止するまでを第１ラウンドとして各停止位置で停止する。
【００５１】
第１ラウンドの１サイクル目において、検査項目分析用の反応容器１９は、第５洗浄位置Ｗ５から移動して１ピッチ進行した停止位置で停止する。次いで、１サイクル目から所定のサイクルタイム経過したａサイクル目において、洗浄が行われてから試料吐出位置Ｐａで１回目に停止する。そして、ｎ回のタイミングのうちの少なくとも１回のタイミングである第１ラウンドのタイミングで試料の吐出が設定されている場合、サンプル分注プローブ２１は、サンプルラック１２に保持された試料容器１１から試料を吸引して、試料吐出位置Ｐａの反応容器１９内に吐出する。
【００５２】
ａサイクル目から１サイクルタイム経過したｂサイクル目において、ａサイクル目に試料吐出位置Ｐａで停止した反応容器１９は、洗浄が行われてから第１試薬吐出位置Ｐｂで１回目に停止する。そして、ｎ回のタイミングのうちの少なくとも１回のタイミングである第１ラウンドのタイミングで第１試薬吐出位置Ｐｂからの試薬の吐出が設定されている場合、第１試薬分注プローブ２３は、第１試薬ラック１５に保持された第１試薬吸引位置Ｐ１の試薬容器１３から試薬を吸引して、第１試薬吐出位置Ｐｂの反応容器１９内に吐出する。
【００５３】
ｂサイクル目から１サイクルタイム経過したｃサイクル目において、ｂサイクル目に第１試薬吐出位置Ｐｂで停止した反応容器１９は、洗浄が行われてから第１撹拌位置Ｐｃで１回目に停止する。そして、ｎ回のタイミングのうちの少なくとも１回のタイミングである第１ラウンドのタイミングで第１撹拌位置Ｐｃからの混合液の撹拌が設定されている場合、第１撹拌子２５は、第１撹拌位置Ｐｃの反応容器１９内における試料及び試薬の混合液を撹拌する。
【００５４】
ｃサイクル目から所定のサイクルタイム経過したｄサイクル目において、ｃサイクル目に第１撹拌位置Ｐｃで停止した反応容器１９は、洗浄が行われてから第２試薬吐出位置Ｐｄで１回目に停止する。そして、ｎ回のタイミングのうちの少なくとも１回のタイミングである第１ラウンドのタイミングで第２試薬吐出位置Ｐｄからの試薬の吐出が設定されている場合、第２試薬分注プローブ２７は、第２試薬ラック１６に保持された第２試薬吸引位置Ｐ２の試薬容器１３から試薬を吸引して、第２試薬吐出位置Ｐｄの反応容器１９内に吐出する。
【００５５】
ｄサイクル目から１サイクルタイム経過したｅサイクル目において、ｄサイクル目に第２試薬吐出位置Ｐｄで停止した反応容器１９は、洗浄が行われてから第２撹拌位置Ｐｅで１回目に停止する。そして、ｎ回のタイミングのうちの少なくとも１回のタイミングである第１ラウンドのタイミングで第２撹拌位置Ｐｅからの混合液の撹拌が設定されている場合、第２撹拌子２９は、第２撹拌位置Ｐｅの反応容器１９内の混合液を撹拌する。
【００５６】
ｅサイクル目から所定のサイクルタイム経過したｆサイクル目において、ｅサイクル目に第２撹拌位置Ｐｅで停止した反応容器１９は、洗浄が行われてから第１洗浄位置Ｗ１で１回目に停止する。第１洗浄ノズル４１は、第１洗浄位置Ｗ１の反応容器１９の洗浄を停止する。
【００５７】
ｆサイクル目から１サイクルタイム経過した（ｆ＋１）サイクル目において、ｆサイクル目に第１洗浄位置Ｗ１で停止した反応容器１９は、第２洗浄位置Ｗ２で１回目に停止する。第２洗浄ノズル４２は、第２洗浄位置Ｗ２の反応容器１９の洗浄を停止する。
【００５８】
（ｆ＋１）サイクル目から１サイクルタイム経過した（ｆ＋２）サイクル目において、（ｆ＋１）サイクル目に第２洗浄位置Ｗ２で停止した反応容器１９は、第３洗浄位置Ｗ３で１回目に停止する。第３洗浄ノズル４３は、第３洗浄位置Ｗ３の反応容器１９の洗浄を停止する。
【００５９】
（ｆ＋２）サイクル目から１サイクルタイム経過した（ｆ＋３）サイクル目において、（ｆ＋２）サイクル目に第３洗浄位置Ｗ３で停止した反応容器１９は、第４洗浄位置Ｗ４で１回目に停止する。第４洗浄ノズル４４は、第４洗浄位置Ｗ４の反応容器１９の洗浄を停止する。
【００６０】
（ｆ＋３）サイクル目から１サイクルタイム経過した（ｆ＋４）サイクル目において、（ｆ＋３）サイクル目に第４洗浄位置Ｗ４で停止した反応容器１９は、第５洗浄位置Ｗ５で１回目に停止する。第５洗浄ノズル４５は、第５洗浄位置Ｗ５の反応容器１９の洗浄を停止する。
【００６１】
（ｆ＋４）サイクル目に第５洗浄位置Ｗ５で停止した検査項目分析用の反応容器１９は、第５洗浄ノズル４５が上停止位置で停止している状態で、洗浄を終えて第５洗浄位置Ｗ５で停止しているときの位置を第１ラウンドの終了位置とする。
【００６２】
ｎが２である場合、第１ラウンドの終了位置が第２ラウンドの開始位置となる。そして、試料吐出位置Ｐａ、第１及び第２試薬吐出位置Ｐｂ，Ｐｄ、並びに第１及び第２撹拌位置Ｐｃ，Ｐｅの各位置で対象となる反応容器１９が第２ラウンド中に停止する。
【００６３】
検査項目分析用の反応容器１９は、洗浄位置で２回目に停止したときに洗浄ノズル４０により洗浄が行われ、第５洗浄ノズル４５が上停止位置で停止している状態で、洗浄を終えて第５洗浄位置Ｗ５で停止しているときの位置を第２ラウンドの終了位置とする。そして、次の検査項目分析用の反応容器１９として決定される。
【００６４】
測定部３１は、試料が標準試料である場合、検査項目分析用の反応容器１９に試薬が吐出されてから洗浄位置Ｗでｎ回目に停止するまでの間、測定位置Ｐｍの通過毎に検査項目分析用の反応容器１９内の標準試料及び試薬の混合液を測定して複数の標準データを生成する。データ処理部６０の演算部６１は、測定部３１で生成された複数の標準データのうちの少なくとも１つのタイミングの標準データに基づいて少なくとも１つの検量データを生成する。
【００６５】
また、測定部３１は、試料が被検試料である場合、検査項目分析用の反応容器１９に試薬が吐出されてから洗浄位置Ｗでｎ回目に停止するまでの間、測定位置Ｐｍの通過毎に検査項目分析用の反応容器１９内の被検試料及び試薬の混合液を測定して複数の被検データを生成する。演算部６１は、測定部３１で生成された複数の被検データのうちの少なくとも１つのタイミングの被検データ及び少なくとも１つの検量データに基づいて分析データを生成する。
【００６６】
以下、図１乃至図９を参照して、自動分析装置１００の動作の一例を説明する。以下では、第１及び第２試薬分注プローブ２３，２７の数よりも多い数の第１乃至第３試薬、並びに第１ラウンドにおける反応時間よりも長い第ｎラウンドまでの反応時間を必要とする例えば検査項目Ａ，Ｂ，Ｃの分析についての動作を説明する。各検査項目Ａ，Ｂ，Ｃの分析パラメータを設定するための入力が操作部８０から行われると、出力部７０の表示部７２に分析パラメータ設定画面が表示される。
【００６７】
図７は、表示部７２に表示された検査項目Ａの分析パラメータ設定画面の一例を示した図である。この分析パラメータ設定画面７３は、検査項目Ａの項目名を設定するための「項目」の欄と、ラウンド数を設定するための「ラウンド」の欄とにより構成される。また、検査項目Ａの試料と試薬の反応時間を設定するための「反応時間」の欄と、試料、試薬及び撹拌のパラメータを設定するための「サンプルパラメータ」、「試薬パラメータ」及び「撹拌パラメータ」の欄とにより構成される。
【００６８】
また、分析パラメータ設定画面７３は、「ラウンド」、「反応時間」及び「試薬パラメータ」の欄への設定により試料及び試薬の分注のタイミングチャートが表示される「Ｒｅａｃｔｉｏｎ  ｓｅｑｕｅｎｃｅ」の欄等により構成される。そして、各欄には、操作部８０からの入力により設定された各分析パラメータが表示されている。
【００６９】
「項目」の欄には、検査項目Ａの項目名である「Ａ」が表示されている。また、「ラウンド」の欄には、ラウンド数が２であることを示す「２」が表示されている。また、「反応時間」の欄には、検査項目Ａの分析を行うための反応時間が時間Ｔｗ２であることを示す「Ｔｗ２」が表示されている。この設定により、第１ラウンドに第１試薬吐出位置Ｐｂで停止してから時間Ｔｗ２経過したとき、測定部３１は測定を終了し、出力部７０は検査項目Ａの分析データを出力する。
【００７０】
「サンプルパラメータ」の欄は、反応容器１９に吐出する被検試料や希釈液を設定するための「検体／希釈液」の欄と、反応容器１９に吐出する被検試料や希釈液の量を設定するための「吐出量（μＬ）」の欄と、被検試料や希釈液を反応容器１９に吐出するタイミングを設定するための「吐出ラウンド」の欄とにより構成される。
【００７１】
「検体／希釈液」の欄には、検査項目Ａ分析用の反応容器１９内に検査項目Ａ分析用の被検試料を吐出することを示す「Ｓａ」が表示されている。また、反応容器１９内に検査項目Ａの再検用の被検試料及び希釈液を吐出することを示す「Ｓｒ」及び「Ｓｄ」が表示されている。
【００７２】
「吐出量（μＬ）」の欄には、検査項目Ａ分析用の反応容器１９内に検査項目Ａの分析用の被検試料を５μＬ吐出することを示す「５」が表示されている。また、反応容器１９内に検査項目Ａの再検用の被検試料を１０μＬ吐出することを示す「１０」が表示され、希釈液を１００μＬ吐出することを示す「１００」が表示されている。
【００７３】
「吐出ラウンド」の欄には、第１ラウンドに試料吐出位置Ｐａで停止する検査項目Ａ分析用の反応容器１９に検査項目Ａ分析用の被検試料を吐出することを示す「１」が表示されている。また、反応容器１９内に検査項目Ａの再検用の被検試料及び希釈液を吐出するタイミングが設定されていないため空白になっている。
【００７４】
このように、ラウンド数として２が設定されている場合、試料吐出位置Ｐａで検査項目Ａ分析用の反応容器１９に２回のタイミングで試料の吐出が可能となり、２回のタイミングのうちの１回目のタイミングである第１ラウンドに検査項目Ａ分析用の被検試料を吐出させる設定を行うことができる。
【００７５】
なお、ラウンド数として２が設定されている場合、「サンプルパラメータ」の欄の「検体／希釈液」の欄に被検試料を吐出することを示す「Ｓａ」を２つ設定し、「吐出ラウンド」の欄にそれぞれ１と２を設定することにより、第１ラウンドと第２ラウンドの２回のタイミングで試料の吐出を行うことができる。
【００７６】
「試薬パラメータ」の欄は、第１乃至第４試薬のいずれの試薬であるかを設定するための「試薬」の欄、各第１乃至第４試薬を識別する例えば試薬名を設定するための「試薬名」の欄、反応容器１９に吐出する試薬量を設定するための「吐出量（μＬ）」の欄、反応容器１９に試薬を吐出する試薬吐出位置を設定するための「吐出位置」の欄、反応容器１９に試薬を吐出するタイミングを設定するための「吐出ラウンド」の欄により構成される。
【００７７】
「試薬」の欄には、検査項目Ａの試薬が３試薬系の第１乃至第３試薬からなり、最初に分注する第１試薬であることを示す「Ｒ１」、第１試薬が分注された後に分注する第２試薬であることを示す「Ｒ２」、及び第２試薬が分注された後に分注する第３試薬であることを示す「Ｒ３」が表示されている。
【００７８】
「試薬名」の欄には、検査項目Ａの分析に使用する第１試薬の試薬名が試薬Ａ１であることを示す「Ａ１」が表示され、第２試薬の試薬名が試薬Ａ２であることを示す「Ａ２」が表示されている。また、第３試薬の試薬名が試薬Ａ３であることを示す「Ａ３」が表示されている。
【００７９】
「吐出量（μＬ）」の欄には、検査項目Ａ分析用の反応容器１９内に吐出する第１試薬の試薬量が１００μＬであることを示す「１００」が表示されている。また、検査項目Ａ分析用の反応容器１９に吐出する第２試薬の試薬量が５０μＬであることを示す「５０」が表示されている。また、検査項目Ａ分析用の反応容器１９に吐出する第３試薬の試薬量が２０μＬであることを示す「２０」が表示されている。
【００８０】
「吐出位置」及び「吐出ラウンド」の欄には、第１ラウンドに第１試薬吐出位置Ｐｂで停止する検査項目Ａ分析用の反応容器１９内に第１試薬を吐出することを示す「Ｐｂ」及び「１」が表示されている。また、第１ラウンドに第２試薬吐出位置Ｐｄで停止する検査項目Ａ分析用の反応容器１９内に第２試薬を吐出することを示す「Ｐｄ」及び「１」が表示されている。また、第２ラウンドに第２試薬吐出位置Ｐｄで停止する検査項目Ａ分析用の反応容器１９内に第３試薬を吐出することを示す「Ｐｄ」及び「２」が表示されている。
【００８１】
このように、ラウンド数として２が設定されている場合、第１試薬吐出位置Ｐｂで検査項目Ａ分析用の反応容器１９に２回のタイミングで試薬の吐出が可能となり、２回のタイミングのうちの１回目のタイミングである第１ラウンドに第１試薬を吐出させる設定を行うことができる。また、第２試薬吐出位置Ｐｄで検査項目Ａ分析用の反応容器１９に２回のタイミングで試薬の吐出が可能となり、２回のタイミングのうちの１回目のタイミングである第１ラウンドに第２試薬を吐出させ、２回目のタイミングである第２ラウンドに第３試薬を吐出させる設定を行うことができる。
【００８２】
「撹拌パラメータ」の欄は、混合液を撹拌する撹拌位置を設定するための「撹拌位置」の欄及び混合液を撹拌するタイミングを設定するための「吐出ラウンド」の欄により構成される。そして、「撹拌位置」及び「撹拌ラウンド」の欄には、第１ラウンドに第１撹拌位置Ｐｃで停止する検査項目Ａ分析用の反応容器１９内の混合液を撹拌することを示す「Ｐｃ」及び「１」が表示されている。また、第１ラウンドに第２撹拌位置Ｐｅで停止する検査項目Ａ分析用の反応容器１９内の混合液を撹拌することを示す「Ｐｅ」及び「１」が表示されている。また、第２ラウンドに第２撹拌位置Ｐｅで停止する検査項目Ａ分析用の反応容器１９内の混合液を撹拌することを示す「Ｐｅ」及び「２」が表示されている。
【００８３】
このように、ラウンド数として２が設定されている場合、第１撹拌位置Ｐｃで検査項目Ａ分析用の反応容器１９内の混合液を２回のタイミングで撹拌が可能となり、２回のタイミングのうちの１回目のタイミングである第１ラウンドに混合液を撹拌させる設定を行うことができる。また、第２撹拌位置Ｐｅで検査項目Ａ分析用の反応容器１９内の混合液を２回のタイミングで撹拌が可能となり、第１及び第２ラウンドに撹拌させる設定を行うことができる。
【００８４】
「Ｒｅａｃｔｉｏｎ  ｓｅｑｕｅｎｃｅ」の欄に表示されたタイミングチャートは、「ラウンド」の欄に設定されたラウンド数に対応する第１及び第２ラウンドを示す２つの矢印１Ｒ，２Ｒにより構成される。また、検査項目Ａ分析用の反応容器１９が第１ラウンドに第１試薬吐出位置Ｐｂで１回目に停止してから、第１ラウンドに第２試薬吐出位置Ｐｄで１回目に停止するまでの時間Ｔ１を示す「Ｔ１」と、第２ラウンドに第１試薬吐出位置Ｐｂで２回目に停止するまでの時間Ｔ２を示す「Ｔ２」と、第２ラウンドに第２試薬吐出位置Ｐｄで２回目に停止するまでの時間Ｔ３を示す「Ｔ３」と、第２ラウンドに洗浄位置Ｗの第１洗浄位置Ｗ１で２回目に停止するまでの時間Ｔｗ２を示す「Ｔｗ２」と、「Ｔｗ２」までを反応時間として右方向に示す矢印により構成される。
【００８５】
また、検査項目Ａ分析用の反応容器１９が、第１ラウンドに試料吐出位置Ｐａで停止したときに分析用の被検試料を吐出することを示す「Ｓａ」及び下方向に向いた矢印により構成される。
【００８６】
また、検査項目Ａ分析用の反応容器１９が、第１ラウンドに第１試薬吐出位置Ｐｂで停止したときに第１試薬を１００μＬ吐出することを示す「Ｒ１」、「１００μＬ」及び下方向に向いた矢印と、第１ラウンドに第２試薬吐出位置Ｐｄで停止したときに第２試薬を５０μＬ吐出することを示す「Ｒ２」、「５０μＬ」及び下方向に向いた矢印と、第２ラウンドに第２試薬吐出位置Ｐｄで停止したときに第３試薬を２０μＬ吐出することを示す「Ｒ３」、「２０μＬ」及び下方向に向いた矢印とにより構成される。
【００８７】
なお、操作部８０のマウスを操作して「Ｒｅａｃｔｉｏｎ  ｓｅｑｕｅｎｃｅ」の欄に表示された例えば「Ｒ２」の矢印を、第２ラウンドの第１試薬吐出位置Ｐｂへ移動することにより、「吐出ラウンド」及び「吐出位置」の欄に表示された第２試薬の吐出位置である「１」及び「Ｐｄ」を第２ラウンドの第１試薬吐出位置Ｐｂに変更設定して「２」及び「Ｐｂ」を表示させることができる。また、操作部８０のマウス及びキーボードを操作して「Ｒｅａｃｔｉｏｎ  ｓｅｑｕｅｎｃｅ」の欄に表示された第１試薬の試薬量である「１００μＬ」を、例えば「９０μＬ」に変更することにより、「試薬量（μＬ）」の欄に表示された「１００」を「９０」に変更設定して第１試薬を９０μＬ吐出させることができる。
【００８８】
このように、表示部７２に試薬分注のタイミングチャートを表示させることにより、操作者は検査項目Ａの試薬の分注のタイミング、試薬量、反応時間等の反応の全容を容易に把握することができる。
【００８９】
分析制御部５０の機構制御部５２は、分析パラメータ設定画面７３に表示された分析パラメータに基づいて移動機構部５１及び測定部３１を制御し、分析部１０の各分析ユニットを作動させる。
【００９０】
第１ラウンドにおいて、サンプル分注プローブ２１は、洗浄位置Ｗの第５洗浄位置Ｗ５で洗浄ノズル４０の第５洗浄ノズル４５により洗浄が行われてから試料吐出位置Ｐａで１回目に停止する検査項目Ａ分析用の反応容器１９内に被検試料を５μＬ吐出する。また、第１試薬分注プローブ２３は、第１試薬吐出位置Ｐｂで１回目に停止する被検試料が吐出された検査項目Ａ分析用の反応容器１９内に第１試薬を１００μＬ吐出する。また、第１撹拌子２５は、第１撹拌位置Ｐｃで１回目に停止する検査項目Ａ分析用の反応容器１９内の混合液を撹拌する。また、第２試薬分注プローブ２７は、第２試薬吐出位置Ｐｄで１回目に停止する検査項目Ａ分析用の反応容器１９内に第２試薬を５０μＬ吐出する。また、第２撹拌子２９は、第２撹拌位置Ｐｅで１回目に停止する検査項目Ａ分析用の反応容器１９内の混合液を撹拌する。また、洗浄ノズル４０は、洗浄位置Ｗで１回目に停止する検査項目Ａ分析用の反応容器１９内の洗浄を停止する。
【００９１】
このように、ラウンド数として２を設定することにより、第１ラウンドに洗浄位置Ｗで停止する検査項目Ａ分析用の反応容器１９の洗浄を停止させることにより、被検試料と第１試薬及び第２試薬との混合液の反応である第２の反応を第１ラウンドで終わらせることなく続行させることができる。
【００９２】
第２ラウンドにおいて、サンプル分注プローブ２１は、試料吐出位置Ｐａで２回目に停止する検査項目Ａ分析用の反応容器１９内への被検試料の吐出を停止する。また、第１試薬分注プローブ２３は、第１試薬吐出位置Ｐｂで２回目に停止する検査項目Ａ分析用の反応容器１９内への試薬の吐出を停止する。また、第１撹拌子２５は、第１撹拌位置Ｐｃで２回目に停止する検査項目Ａ分析用の反応容器１９内の撹拌を停止する。また、第２試薬分注プローブ２７は、第２試薬吐出位置Ｐｄで２回目に停止する検査項目Ａ分析用の反応容器１９内に第３試薬を２０μＬ吐出する。また、第２撹拌子２９は、第２撹拌位置Ｐｅで２回目に停止する検査項目Ａ分析用の反応容器１９内の混合液を撹拌する。また、洗浄ノズル４０は、洗浄が行われてから洗浄位置Ｗで２回目に停止する検査項目Ａ分析用の反応容器１９内を洗浄する。
【００９３】
このように、分析パラメータ設定画面７３の「反応時間」の欄に反応時間を設定することにより、被検試料と第１乃至第３試薬との混合液の反応である第３の反応を、第２の反応を第２ラウンドまで続行させた場合でも時間短縮することなく行わせることができる。
【００９４】
また、ラウンド数として２を設定することにより、第３試薬を分注させるための専用の試薬分注プローブを設けることなく、第２ラウンドに第２試薬分注プローブ２７を用いて第３試薬を分注させることができる。これにより、第１及び第２試薬分注プローブ２３，２７の数よりもよりも多い数の第１乃至第３試薬を、第１及び第２試薬分注プローブ２３，２７、第１及び第２試薬分注アーム２４，２８、並びに第１及び第２試薬分注アーム２４，２８をそれぞれ駆動する移動機構を用いて分注させることが可能となり、自動分析装置１００の複雑化及び大型化を防ぐことができる。
【００９５】
なお、検査項目Ａの試薬が例えば第１乃至第４試薬である場合、第２ラウンドに２回目に洗浄位置Ｗで停止する検査項目Ａ分析用の反応容器１９の洗浄を停止させ、例えば第３ラウンドに第１又は第２試薬分注プローブ２３，２７により第４試薬を分注させるように実施してもよい。
【００９６】
測定部３１は、第１撹拌位置Ｐｃで１回目に停止してから洗浄位置Ｗで２回目に停止するまでの間に１サイクルタイム毎に測定位置Ｐｍを通過する検査項目Ａ分析用の反応容器１９内の混合液を測定して吸光度データを生成する。そして、データ処理部６０の演算部６１は、測定部３１で生成された吸光度データに基づいて検査項目Ａの分析データを生成する。出力部７０は、検査項目Ａ分析用の反応容器１９が第１洗浄位置Ｗ１で停止したとき、検査項目Ａの分析データを出力する。
【００９７】
このように、分析パラメータ設定画面７３の「反応時間」の欄に反応時間を設定することにより、最終ラウンドである第２ラウンドの終了のタイミングよりも早い反応時間に応じたタイミングで検査項目Ａの分析データを出力させることができる。
【００９８】
なお、検査項目Ｄ分析用の第１試薬及び検査項目Ｅ分析用の第２試薬を用いて２つの検査項目Ｄ，Ｅの分析を行うマルチアッセイの場合、ラウンド数として例えば２を設定し、第１ラウンドに第１試薬吐出位置Ｐｂで１回目に停止する検査項目Ｄ，Ｅ分析用の被検試料が吐出された反応容器１９内に第１試薬を吐出させた後、第１撹拌位置Ｐｃで１回目に停止する反応容器１９内の被検試料と第１試薬の混合液を撹拌させる。次いで、第２ラウンドに第１又は第２試薬吐出位置Ｐｂ，Ｐｄで停止する検査項目Ｄ，Ｅ分析用の反応容器１９内に第２試薬を吐出させた後、第１又は第２撹拌位置Ｐｃ，Ｐｅで２回目に停止する反応容器１９内の被検試料と第１及び第２試薬の混合液を撹拌させる。そして、第１試薬が吐出された後に撹拌されてから第２試薬が吐出されるまでの間の測定により検査項目Ｄの分析データを生成し、第２試薬が吐出された後に撹拌されてから洗浄位置Ｗで停止するまでの間の測定により検査項目Ｅの分析データを生成するように実施してもよい。
【００９９】
図８は、表示部７２に表示された検査項目Ｂの分析パラメータ設定画面の一例を示した図である。この分析パラメータ設定画面７４は、図７の分析パラメータ設定画面７３と同じ欄により構成される。
【０１００】
「項目」の欄には、検査項目Ｂの項目名である「Ｂ」が表示されている。また、「ラウンド」の欄には、ラウンド数が５であることを示す「５」が表示されている。また、「反応時間」の欄には、検査項目Ｂの分析を行うための混合液の反応時間が時間Ｔ９であることを示す「Ｔ９」が表示されている。この設定により、第１ラウンドに第１試薬吐出位置Ｐｂで停止してから時間Ｔ９経過したとき、測定部３１は測定を終了し、出力部７０は検査項目Ｂの分析データを出力する。
【０１０１】
「サンプルパラメータ」の欄の「検体／希釈液」の欄には、反応容器１９内に検査項目Ｂの分析用の被検試料を吐出することを示す「Ｓａ」が表示されている。また、反応容器１９内に検査項目Ｂの再検用の被検試料及び希釈液を吐出することを示す「Ｓｒ」及び「Ｓｄ」が表示されている。
【０１０２】
「吐出量（μＬ）」の欄には、検査項目Ｂ分析用の反応容器１９内に検査項目Ｂの分析用の被検試料を２μＬ吐出することを示す「２」が表示されている。また、反応容器１９内に検査項目Ｂの再検用の被検試料を１０μＬ吐出することを示す「１０」が表示され、希釈液を１００μＬ吐出することを示す「１００」が表示されている。
【０１０３】
「吐出ラウンド」の欄には、第１ラウンドに試料吐出位置Ｐａで停止する検査項目Ｂ分析用の反応容器１９内に検査項目Ｂ分析用の被検試料を吐出することを示す「１」が表示されている。また、反応容器１９内に検査項目Ｂの再検用の被検試料及び希釈液を吐出するタイミングが設定されていないため空白になっている。
【０１０４】
このように、ラウンド数として５が設定されている場合、試料吐出位置Ｐａで検査項目Ｂ分析用の反応容器１９に５回のタイミングで試料の吐出が可能となり、５回のタイミングのうちの１回目のタイミングである第１ラウンドに検査項目Ｂ分析用の被検試料を吐出させる設定を行うことができる。
【０１０５】
「試薬パラメータ」の欄の「試薬」の欄には、検査項目Ｂの試薬が３試薬系の第１乃至第３試薬からなり、最初に分注する第１試薬であることを示す「Ｒ１」、第１試薬が分注された後に分注する第２試薬であることを示す「Ｒ２」、及び第２試薬が分注された後に分注する第３試薬であることを示す「Ｒ３」が表示されている。
【０１０６】
「試薬名」の欄には、検査項目Ｂの分析に使用する第１試薬の試薬名が試薬Ｂ１であることを示す「Ｂ１」が表示され、第２試薬の試薬名が試薬Ｂ２であることを示す「Ｂ２」が表示されている。また、第３試薬の試薬名が試薬Ｂ３であることを示す「Ｂ３」が表示されている。
【０１０７】
「吐出量（μＬ）」には、検査項目Ｂ分析用の反応容器１９に吐出する第１試薬の試薬量が１００μＬであることを示す「１００」が表示されている。また、検査項目Ｂ分析用の反応容器１９に吐出する第２試薬の試薬量が６０μＬであることを示す「６０」が表示されている。また、検査項目Ｂ分析用の反応容器１９に吐出する第３試薬の試薬量が２０μＬであることを示す「２０」が表示されている。
【０１０８】
「吐出位置」及び「吐出ラウンド」の欄には、第１ラウンドに第１試薬吐出位置Ｐｂで停止する検査項目Ｂ分析用の反応容器１９内に第１試薬を吐出することを示す「Ｐｂ」及び「１」が表示されている。また、第２ラウンドに第１試薬吐出位置Ｐｂで停止する検査項目Ｂ分析用の反応容器１９内に第２試薬を吐出することを示す「Ｐｂ」及び「２」が表示されている。また、第４ラウンドに第２試薬吐出位置Ｐｄで停止する検査項目Ｂ分析用の反応容器１９内に第３試薬を吐出することを示す「Ｐｄ」及び「４」が表示されている。
【０１０９】
このように、ラウンド数として５が設定されている場合、第１試薬吐出位置Ｐｂで検査項目Ｂ分析用の反応容器１９に５回のタイミングで試薬の吐出が可能となり、５回のタイミングのうちの１回目のタイミングである第１ラウンドに第１試薬を吐出させ、２回目のタイミングである第２ラウンドに第２試薬を吐出させる設定を行うことができる。また、第２試薬吐出位置Ｐｄで検査項目Ｂ分析用の反応容器１９に５回のタイミングで試薬の吐出が可能となり、５回のタイミングのうちの４回目のタイミングである第４ラウンドに第３試薬を吐出させる設定を行うことができる。
【０１１０】
「撹拌パラメータ」の欄における「撹拌位置」及び「撹拌ラウンド」の欄には、第１ラウンドに第１撹拌位置Ｐｃで停止する検査項目Ｂ分析用の反応容器１９内の混合液を撹拌することを示す「Ｐｃ」及び「１」が表示されている。また、第２ラウンドに第１撹拌位置Ｐｃで停止する検査項目Ｂ分析用の反応容器１９内の混合液を撹拌することを示す「Ｐｃ」及び「２」が表示されている。また、第４ラウンドに第２撹拌位置Ｐｃで停止する検査項目Ｂ分析用の反応容器１９内の混合液を撹拌することを示す「Ｐｅ」及び「４」が表示されている。
【０１１１】
このように、ラウンド数として５が設定されている場合、第１撹拌位置Ｐｃで検査項目Ｂ分析用の反応容器１９内の混合液を５回のタイミングで撹拌が可能となり、５回のタイミングのうちの１回目及び２回目のタイミングである第１及び第２ラウンドに混合液を撹拌させる設定を行うことができる。また、第２撹拌位置Ｐｅで検査項目Ｂ分析用の反応容器１９内の混合液を５回のタイミングで撹拌が可能となり、５回のタイミングのうちの４回目のタイミングである第４ラウンドに撹拌させる設定を行うことができる。
【０１１２】
「Ｒｅａｃｔｉｏｎ  ｓｅｑｕｅｎｃｅ」の欄に表示されたタイミングチャートは、「ラウンド」の欄に設定されたラウンド数に対応する第１乃至第５ラウンドを示す５つの矢印１Ｒ乃至５Ｒにより構成される。また、検査項目Ｂ分析用の反応容器１９が第１ラウンドに第１試薬吐出位置Ｐｂで１回目に停止してから、第１ラウンドに第２試薬吐出位置Ｐｄで１回目に停止するまでの時間Ｔ１を示す「Ｔ１」、第２ラウンドに第１及び第２試薬吐出位置Ｐｂ，Ｐｄで２回目に停止するまでの時間Ｔ２，Ｔ３を示す「Ｔ２」及び「Ｔ３」が表示されている。
【０１１３】
また、検査項目Ｂ分析用の反応容器１９が第１試薬吐出位置Ｐｂで１回目に停止してから、第３ラウンドに第１及び第２試薬吐出位置Ｐｂ，Ｐｄで３回目に停止するまでの時間Ｔ４，Ｔ５を示す「Ｔ４」及び「Ｔ５」と、第４ラウンドに第１及び第２試薬吐出位置Ｐｂ，Ｐｄで４回目に停止するまでの時間Ｔ６，Ｔ７を示す「Ｔ６」及び「Ｔ７」と、第５ラウンドに第１及び第２試薬吐出位置Ｐｂ，Ｐｄで５回目に停止するまでの時間Ｔ８，Ｔ９を示す「Ｔ８」及び「Ｔ９」と、「Ｔ９」までを反応時間として右方向に示す矢印により構成される。
【０１１４】
また、検査項目Ｂ分析用の反応容器１９が、第１ラウンドに試料吐出位置Ｐａで停止したときに分析用の被検試料を吐出することを示す「Ｓａ」及び下方向に向いた矢印により構成される。
【０１１５】
また、検査項目Ｂ分析用の反応容器１９が、第１ラウンドに第１試薬吐出位置Ｐｂで停止したときに第１試薬を１００μＬ吐出することを示す「Ｒ１」、「１００μＬ」及び下方向に向いた矢印と、第２ラウンドに第１試薬吐出位置Ｐｂで停止したときに第２試薬を６０μＬ吐出することを示す「Ｒ２」、「６０μＬ」及び下方向に向いた矢印と、第４ラウンドに第２試薬吐出位置Ｐｄで停止したときに第３試薬を２０μＬ吐出することを示す「Ｒ３」、「２０μＬ」及び下方向に向いた矢印とにより構成される。
【０１１６】
機構制御部５２は、分析パラメータ設定画面７４に表示された分析パラメータに基づいて移動機構部５１を制御して分析部１０の各分析ユニットを作動させる。
【０１１７】
第１ラウンドにおいて、サンプル分注プローブ２１は、第５洗浄位置Ｗ５で第５洗浄ノズル４５により洗浄が行われてから、試料吐出位置Ｐａで１回目に停止する検査項目Ｂ分析用の反応容器１９内に被検試料を２μＬ吐出する。また、第１試薬分注プローブ２３は、第１試薬吐出位置Ｐｂで１回目に停止する検査項目Ｂ分析用の反応容器１９内に第１試薬を１００μＬ吐出する。また、第１撹拌子２５は、第１撹拌位置Ｐｃで１回目に停止する検査項目Ｂ分析用の反応容器１９内の混合液を撹拌する。また、第２試薬分注プローブ２７は第２試薬吐出位置Ｐｄで１回目に停止する検査項目Ｂ分析用の反応容器１９内への試薬の吐出を停止し、第２撹拌子２９は第２撹拌位置Ｐｅで１回目に停止する検査項目Ｂ分析用の反応容器１９内の撹拌を停止する。また、洗浄ノズル４０は、洗浄位置Ｗで１回目に停止する検査項目Ｂ分析用の反応容器１９の洗浄を停止する。
【０１１８】
このように、第１ラウンドに洗浄位置Ｗで停止する検査項目Ｂ分析用の反応容器１９の洗浄を停止させることにより、被検試料と第１試薬との混合液の反応である第１の反応を続行させることができる。
【０１１９】
第２ラウンドにおいて、サンプル分注プローブ２１は、試料吐出位置Ｐａで２回目に停止する検査項目Ｂ分析用の反応容器１９内への被検試料の吐出を停止する。また、第１試薬分注プローブ２３は、第１試薬吐出位置Ｐｂで２回目に停止する検査項目Ｂ分析用の反応容器１９内に第２試薬を６０μＬ吐出する。また、第１撹拌子２５は、第１撹拌位置Ｐｃで２回目に停止する検査項目Ｂ分析用の反応容器１９内の混合液を撹拌する。また、第２試薬分注プローブ２７、第２撹拌子２９及び洗浄ノズル４０は、第２試薬吐出位置Ｐｄ、第２撹拌位置Ｐｅ及び洗浄位置Ｗで２回目に停止する検査項目Ｂ分析用の反応容器１９に対する試薬の吐出、撹拌及び洗浄の動作を停止する。
【０１２０】
このように、第２ラウンドに洗浄位置Ｗで停止する検査項目Ｂ分析用の反応容器１９の洗浄を停止させることにより、被検試料と第１及び第２試薬との混合液の反応である第２の反応を続行させることができる。
【０１２１】
第３ラウンドにおいて、サンプル分注プローブ２１、第１試薬分注プローブ２３、第１撹拌子２５、第２試薬分注プローブ２７、第２撹拌子２９及び洗浄ノズル４０は、試料吐出位置Ｐａ、第１試薬吐出位置Ｐｂ、第１撹拌位置Ｐｃ、第２試薬吐出位置Ｐｄ、第２撹拌位置Ｐｅ及び洗浄位置Ｗで３回目に停止する検査項目Ｂ分析用の反応容器１９に対する試料及び試薬の吐出、撹拌並びに洗浄の動作を停止する。
【０１２２】
このように、第３ラウンドに洗浄位置Ｗで停止する検査項目Ｂ分析用の反応容器１９の洗浄を停止させることにより、被検試料と第１及び第２試薬との混合液の反応である第２の反応を更に続行させることができる。
【０１２３】
第４ラウンドにおいて、サンプル分注プローブ２１、第１試薬分注プローブ２３及び第１撹拌子２５は、試料吐出位置Ｐａ、第１試薬吐出位置Ｐｂ及び第１撹拌位置Ｐｃで４回目に停止する検査項目Ｂ分析用の反応容器１９に対する試料及び試薬の吐出並びに撹拌の動作を停止する。また、第２試薬分注プローブ２７は、第２試薬吐出位置Ｐｄで４回目に停止する検査項目Ｂ分析用の反応容器１９内に第３試薬を２０μＬ吐出する。また、第２撹拌子２９は、第２撹拌位置Ｐｅで４回目に停止する検査項目Ｂ分析用の反応容器１９内の混合液を撹拌する。また、洗浄ノズル４０は、洗浄位置Ｗで４回目に停止する検査項目Ｂ分析用の反応容器１９内の洗浄を停止する。
【０１２４】
このように、第４ラウンドに洗浄位置Ｗで停止する検査項目Ｂ分析用の反応容器１９の洗浄を停止させることにより、被検試料と第１乃至第３試薬との混合液の反応である第３の反応を続行させることができる。
【０１２５】
また、第３試薬を分注させるための専用の分析ユニットを設けることなく、第４ラウンドに第２試薬分注プローブ２７を用いて第３試薬を分注させることができる。これにより、第１及び第２試薬分注プローブ２３，２７の数よりもよりも多い数の第１乃至第３試薬を、第１及び第２試薬分注プローブ２３，２７、第１及び第２試薬分注アーム２４，２８、並びに第１及び第２試薬分注アーム２４，２８をそれぞれ駆動する移動機構を用いて分注させることが可能となり、自動分析装置１００の複雑化及び大型化を防ぐことができる。
【０１２６】
第５ラウンドにおいて、サンプル分注プローブ２１、第１試薬分注プローブ２３、第１撹拌子２５、第２試薬分注プローブ２７及び第２撹拌子２９は、試料吐出位置Ｐａ、第１試薬吐出位置Ｐｂ、第１撹拌位置Ｐｃ、第２試薬吐出位置Ｐｄ及び第２撹拌位置Ｐｅで５回目に停止する検査項目Ｂ分析用の反応容器１９に対する試料及び試薬の吐出並びに撹拌の動作を停止する。また、洗浄ノズル４０は、洗浄位置Ｗで５回目に停止する検査項目Ｂ分析用の反応容器１９内の洗浄を行う。
【０１２７】
測定部３１は、第１撹拌位置Ｐｃで１回目に停止してから第２試薬吐出位置Ｐｄで５回目に停止するまでの間に測定位置Ｐｍを通過した反応容器１９内の混合液を測定位置Ｐｍ通過毎に測定して吸光度データを生成する。そして、演算部６１は、測定部３１で生成された吸光度データに基づいて検査項目Ｂの分析データを生成する。また、出力部７０は、検査項目Ｂ分析用の反応容器１９が第５ラウンドに第２試薬吐出位置Ｐｄで停止したとき、検査項目Ｂの分析データを出力する。
【０１２８】
図９は、表示部７２に表示された検査項目Ｃの分析パラメータ設定画面の一例を示した図である。この分析パラメータ設定画面７５は、図７の分析パラメータ設定画面７３と同じ欄により構成される。
【０１２９】
「項目」の欄には、検査項目Ｃの項目名である「Ｃ」が表示されている。また、「ラウンド」の欄には、ラウンド数が５であることを示す「５」が表示されている。また、「反応時間」の欄には、検査項目Ｃの分析を行うための混合液の反応時間が時間Ｔ９であることを示す「Ｔ９」が表示されている。
【０１３０】
「サンプルパラメータ」の欄の「検体／希釈液」の欄には、検査項目Ｃの分析用の反応容器１９内に検査項目Ｃ分析用の被検試料を吐出することを示す「Ｓａ」が表示されている。また、反応容器１９内に検査項目Ｃの再検用の被検試料及び希釈液を吐出することを示す「Ｓｒ」及び「Ｓｄ」が表示されている。
【０１３１】
「吐出量（μＬ）」の欄には、検査項目Ｃ分析用の反応容器１９内に検査項目Ｃの分析用の被検試料を２μＬ吐出することを示す「２」が表示されている。また、反応容器１９内に検査項目Ｂの再検用の被検試料を１０μＬ吐出することを示す「１０」が表示され、希釈液を１００μＬ吐出することを示す「１００」が表示されている。
【０１３２】
「吐出ラウンド」の欄には、第１ラウンドに試料吐出位置Ｐａで停止する検査項目Ｃ分析用の反応容器１９に検査項目Ａ分析用の被検試料を吐出することを示す「１」が表示されている。また、反応容器１９内に検査項目Ａの再検用の被検試料及び希釈液を吐出するタイミングが設定されていないため空白になっている。
【０１３３】
このように、ラウンド数として５が設定されている場合、試料吐出位置Ｐａで検査項目Ｃ分析用の反応容器１９に５回のタイミングで試料の吐出が可能となり、５回のタイミングのうちの１回目のタイミングである第１ラウンドに被検試料を吐出させる設定を行うことができる。
【０１３４】
「試薬パラメータ」の欄の「試薬」の欄には、検査項目Ｃの試薬が３試薬系の第１乃至第３試薬からなり、最初に分注する第１試薬であることを示す「Ｒ１」、第１試薬が分注された後に分注する第２試薬であることを示す「Ｒ２」、及び第２試薬が分注された後に分注する第３試薬であることを示す「Ｒ３」が表示されている。
【０１３５】
「試薬名」の欄には、検査項目Ｃの分析に使用する第１試薬の試薬名が試薬Ｃ１であることを示す「Ｃ１」が表示され、第２試薬の試薬名が試薬Ｃ２であることを示す「Ｃ２」が表示され、第３試薬の試薬名が試薬Ｃ３であることを示す「Ｃ３」が表示されている。
【０１３６】
「試薬量（μＬ）」には、検査項目Ｃ分析用の反応容器１９に吐出する第１試薬の試薬量が１００μＬであることを示す「１００」が表示されている。また、検査項目Ｃ分析用の反応容器１９に吐出する第２試薬の試薬量が６０μＬであることを示す「６０」が表示されている。また、検査項目Ｃ分析用の反応容器１９に吐出する第３試薬の試薬量が２０μＬであることを示す「２０」が表示されている。
【０１３７】
「吐出位置」及び「吐出ラウンド」の欄には、第１ラウンドに第１試薬吐出位置Ｐｂで停止する検査項目Ｃ分析用の反応容器１９内に第１試薬を吐出することを示す「Ｐｂ」及び「１」が表示されている。また、第２ラウンドに第１試薬吐出位置Ｐｂで停止する検査項目Ｂ分析用の反応容器１９内に第２試薬を吐出することを示す「Ｐｂ」及び「２」が表示されている。また、第４ラウンドに第２試薬吐出位置Ｐｄで停止する検査項目Ｃ分析用の反応容器１９内に第３試薬を吐出することを示す「Ｐｄ」及び「４」が表示されている。
【０１３８】
このように、ラウンド数として５が設定されている場合、第１試薬吐出位置Ｐｂで検査項目Ｃ分析用の反応容器１９に５回のタイミングで試薬の吐出が可能となり、５回のタイミングのうちの１回目のタイミングである第１ラウンドに第１試薬を吐出させ、２回目のタイミングである第２ラウンドに第２試薬を吐出させる設定を行うことができる。また、第２試薬吐出位置Ｐｄで検査項目Ｃ分析用の反応容器１９に５回のタイミングで試薬の吐出が可能となり、５回のタイミングのうちの４回目のタイミングである第４ラウンドに第３試薬を吐出させる設定を行うことができる。
【０１３９】
「撹拌パラメータ」の欄の「撹拌位置」及び「撹拌ラウンド」の欄には、第１ラウンドに第１撹拌位置Ｐｃで停止する検査項目Ｃ分析用の反応容器１９内の混合液を撹拌することを示す「Ｐｃ」及び「１」が表示されている。また、第２ラウンドに第１撹拌位置Ｐｃで停止する検査項目Ｃ分析用の反応容器１９内の混合液を撹拌することを示す「Ｐｃ」及び「２」が表示されている。また、第３ラウンドに第１撹拌位置Ｐｃで停止する検査項目Ｃ分析用の反応容器１９内の混合液を撹拌することを示す「Ｐｃ」及び「３」が表示されている。また、第４ラウンドに第２撹拌位置Ｐｃで停止する検査項目Ｂ分析用の反応容器１９内の混合液を撹拌することを示す「Ｐｅ」及び「４」が表示されている。
【０１４０】
このように、ラウンド数として５が設定されている場合、第１撹拌位置Ｐｃで検査項目Ｃ分析用の反応容器１９内の混合液を５回のタイミングで撹拌が可能となり、５回のタイミングのうちの１回目乃至３回目のタイミングである第１乃至第３ラウンドに混合液を撹拌させる設定を行うことができる。また、第２撹拌位置Ｐｅで検査項目Ｃ分析用の反応容器１９内の混合液を５回のタイミングで撹拌が可能となり、５回のタイミングのうちの４回目のタイミングである第４ラウンドに撹拌させる設定を行うことができる。
【０１４１】
「Ｒｅａｃｔｉｏｎ  ｓｅｑｕｅｎｃｅ」の欄に表示されたタイミングチャートが、図８に示した分析パラメータ設定画面７４の「Ｒｅａｃｔｉｏｎ  ｓｅｑｕｅｎｃｅ」の欄に表示されたタイミングチャートと異なる点は、第３ラウンドに第１撹拌位置Ｐｃで３回目に停止する反応容器１９内の混合液を撹拌することを示す下方向に向いた矢印が追加されている点である。
【０１４２】
機構制御部５２は、分析パラメータ設定画面７５に表示された分析パラメータに基づいて移動機構部５１を制御して分析部１０の各分析ユニットを作動させる。
【０１４３】
第１ラウンドにおいて、サンプル分注プローブ２１は、第５洗浄位置Ｗ５で第５洗浄ノズル４５により洗浄が行われてから、試料吐出位置Ｐａで１回目に停止する検査項目Ｃ分析用の反応容器１９内に分析用の被検試料を２μＬ吐出する。また、第１試薬分注プローブ２３は、第１試薬吐出位置Ｐｂで１回目に停止する検査項目Ｃ分析用の反応容器１９内に第１試薬を１００μＬ吐出する。また、第１撹拌子２５は、第１撹拌位置Ｐｃで１回目に停止する検査項目Ｃ分析用の反応容器１９内の混合液を撹拌する。また、第２試薬分注プローブ２７、第１撹拌子２５及び洗浄ノズル４０は、第１試薬吐出位置Ｐｂ、第１撹拌位置Ｐｃ及び洗浄位置Ｗで１回目に停止する検査項目Ｃ分析用の反応容器１９に対する試薬の吐出、撹拌及び洗浄の動作を停止する。
【０１４４】
このように、第１ラウンドに洗浄位置Ｗで停止する検査項目Ｃ分析用の反応容器１９の洗浄を停止させることにより、被検試料と第１試薬との混合液の第１の反応を続行させることができる。
【０１４５】
第２ラウンドにおいて、サンプル分注プローブ２１は、試料吐出位置Ｐａで２回目に停止する検査項目Ｃ分析用の反応容器１９内への被検試料の吐出を停止する。また、第１試薬分注プローブ２３は、第１試薬吐出位置Ｐｂで２回目に停止する検査項目Ｃ分析用の反応容器１９内に第２試薬を６０μＬ吐出する。また、第１撹拌子２５は、第１撹拌位置Ｐｃで２回目に停止する検査項目Ｃ分析用の反応容器１９内の混合液を撹拌する。また、第２試薬分注プローブ２７、第２撹拌子２９及び洗浄ノズル４０は、第２試薬吐出位置Ｐｄ、第２撹拌位置Ｐｅ及び洗浄位置Ｗで２回目に停止する検査項目Ｃ分析用の反応容器１９に対する試薬の吐出、撹拌及び洗浄の動作を停止する。
【０１４６】
このように、第２ラウンドに洗浄位置Ｗで停止する検査項目Ｃ分析用の反応容器１９の洗浄を停止させることにより、被検試料と第１及び第２試薬との混合液の第２の反応を続行させることができる。
【０１４７】
第３ラウンドにおいて、サンプル分注プローブ２１及び第１試薬分注プローブ２３は、試料吐出位置Ｐａ及び第１試薬吐出位置Ｐｂで３回目に停止する検査項目Ｃ分析用の反応容器１９に対する試料及び試薬の吐出動作を停止する。また、第１撹拌子２５は、第１撹拌位置Ｐｃで３回目に停止する検査項目Ｃ分析用の反応容器１９内の混合液を撹拌する。また、第２試薬分注プローブ２７、第２撹拌子２９及び洗浄ノズル４０は、第２試薬吐出位置Ｐｄ、第２撹拌位置Ｐｅ及び洗浄位置Ｗで３回目に停止する検査項目Ｃ分析用の反応容器１９に対する試薬の吐出、撹拌及び洗浄の動作を停止する。
【０１４８】
なお、分析パラメータ設定画面７５の「Ｒｅａｃｔｉｏｎ  ｓｅｑｕｅｎｃｅ」の欄に第１撹拌位置Ｐｃで４回目に停止する検査項目Ｃ分析用の反応容器１９内の混合液を撹拌することを示す矢印を設定することにより、検査項目Ｃ分析用の反応容器１９が第１撹拌位置Ｐｃで４回目に停止したときに混合液を撹拌することができる。
【０１４９】
このように、第３ラウンドに第１試薬吐出位置Ｐｃで試薬が吐出されない場合でも第１撹拌位置Ｐｃで停止したときに検査項目Ｃ分析用の反応容器１９内の混合液の撹拌を行うことにより、長時間に亘って撹拌が行われずに混合が不十分となり、反応に悪影響を与える検査項目Ｃの分析データの悪化を防ぐことができる。
【０１５０】
第４ラウンドにおいて、サンプル分注プローブ２１、第１試薬分注プローブ２３及び第１撹拌子２５は、試料吐出位置Ｐａ、第１試薬吐出位置Ｐｂ及び第１撹拌位置Ｐｃで４回目に停止する検査項目Ｃ分析用の反応容器１９に対する試料及び試薬の吐出並びに撹拌の動作を停止する。また、第２試薬分注プローブ２７は、第２試薬吐出位置Ｐｄで４回目に停止する検査項目Ｃ分析用の反応容器１９内に第３試薬を２０μＬ吐出する。また、第２撹拌子２９は、第２撹拌位置Ｐｅで４回目に停止する検査項目Ｃ分析用の反応容器１９内の混合液を撹拌する。また、洗浄ノズル４０は、洗浄位置Ｗで４回目に停止する検査項目Ｃ分析用の反応容器１９内の洗浄を停止する。
【０１５１】
このように、第４ラウンドに洗浄位置Ｗで停止する検査項目Ｃ分析用の反応容器１９の洗浄を停止させることにより、被検試料と第１乃至第３試薬との混合液の第３の反応を続行させることができる。
【０１５２】
第５ラウンドにおいて、サンプル分注プローブ２１、第１試薬分注プローブ２３、第１撹拌子２５、第２試薬分注プローブ２７及び第２撹拌子２９は、試料吐出位置Ｐａ、第１試薬吐出位置Ｐｂ、第１撹拌位置Ｐｃ、第２試薬吐出位置Ｐｄ及び第２撹拌位置Ｐｅで５回目に停止する検査項目Ｃ分析用の反応容器１９に対する試料及び試薬の吐出並びに撹拌の動作を停止する。また、洗浄ノズル４０は、洗浄位置Ｗで５回目に停止する検査項目Ｃ分析用の反応容器１９内の洗浄を行う。
【０１５３】
測定部３１は、第１撹拌位置Ｐｃで１回目に停止してから第２試薬吐出位置Ｐｄで５回目に停止するまでの間に測定位置Ｐｍを通過した反応容器１９内の混合液を測定位置Ｐｍ通過毎に測定して吸光度データを生成する。そして、演算部６１は、測定部３１で生成された吸光度データに基づいて検査項目Ｃの分析データを生成する。また、出力部７０は、検査項目Ｃ分析用の反応容器１９が第５ラウンドに第２試薬吐出位置Ｐｄで停止したとき、検査項目Ｃの分析データを出力する。
【０１５４】
このように、分析パラメータ設定画面７５の「反応時間」の欄に反応時間を設定することにより、最終ラウンドである第５ラウンドの終了のタイミングよりも早い反応時間に応じたタイミングで各検査項目Ｃの分析データを出力させることができる。
【０１５５】
以上述べた実施形態によれば、操作部８０からの入力によりラウンド数として１を設定することにより、洗浄が行われてから洗浄位置Ｗで１回目に停止した検査項目分析用の反応容器１９の洗浄を行わせることができる。また、ラウンド数としてｎを設定することにより、洗浄が行われてから洗浄位置Ｗでｎ回目に停止するまで検査項目分析用の反応容器１９の洗浄を停止させることができる。そして、試料吐出位置Ｐａで検査項目分析用の反応容器１９にｎ回のタイミングで試料吐出が可能となり、ｎ回のタイミングのうちの少なくとも１回のタイミングで試料を吐出させることができる。また、第１試薬吐出位置Ｐｂで検査項目分析用の反応容器１９にｎ回のタイミングで試薬の吐出が可能となり、ｎ回のタイミングのうちの少なくとも１回のタイミングで試薬を吐出させることができる。また、第１撹拌位置Ｐｃで検査項目分析用の反応容器１９内の混合液をｎ回のタイミングで撹拌が可能となり、ｎ回のタイミングのうちの少なくとも１回のタイミングで混合液を撹拌させることができる。また、第２試薬吐出位置Ｐｄで検査項目分析用の反応容器１９にｎ回のタイミングで試薬の吐出が可能となり、ｎ回のタイミングのうちの少なくとも１回のタイミングで試薬を吐出させることができる。また、第２撹拌位置Ｐｅで検査項目分析用の反応容器１９内の混合液をｎ回のタイミングで撹拌が可能となり、ｎ回のタイミングのうちの少なくとも１回のタイミングで混合液を撹拌させることができる。
【０１５６】
そして、検査項目Ｂ，Ｃの分析において、第１ラウンドに洗浄位置Ｗで停止する検査項目Ｂ，Ｃ分析用の反応容器１９の洗浄を停止させることにより、被検試料と第１試薬との混合液の第１の反応を続行させることができる。また、第１ラウンドに洗浄位置Ｗで停止する検査項目Ａ分析用の反応容器１９の洗浄を停止させることにより、被検試料と第１及び第２試薬との混合液の第２の反応を続行させることができる。また、第２及び第３ラウンドに洗浄位置Ｗで停止する検査項目Ｂ，Ｃ分析用の反応容器１９の洗浄を停止させることにより、被検試料と第１及び第２試薬との混合液の第２の反応を続行させることができる。また、第４ラウンドに洗浄位置Ｗで停止する検査項目Ｂ，Ｃ分析用の反応容器１９の洗浄を停止させることにより、被検試料と第１乃至第３試薬との混合液の第３の反応を続行させることができる。
【０１５７】
これにより、１サイクルタイムの時間を変更することなく第１の反応の時間、第２の反応の時間及び第３の反応の時間を延長することが可能となり、１サイクルタイムの時間を延長して反応時間の延長を図るよりもスループットの低下を低減することができる。
【０１５８】
また、ラウンド数としてｎを設定することにより、第３試薬を分注させるための専用の試薬分注プローブを設けることなく、第２ラウンド以降に第１又は第２試薬分注プローブ２３，２７を用いて第２又は第３試薬を分注させることができる。これにより、第１及び第２試薬分注プローブ２３，２７の数よりもよりも多い数の第１乃至第３試薬を、第１及び第２試薬分注プローブ２３，２７、第１及び第２試薬分注アーム２４，２８、並びに第１及び第２試薬分注アーム２４，２８をそれぞれ駆動する移動機構を用いて分注させることが可能となり、自動分析装置１００の複雑化及び大型化を防ぐことができる。
【０１５９】
また、第３ラウンドに第１試薬吐出位置Ｐｃで試薬が吐出されない場合でも第１撹拌位置Ｐｃで停止したときに検査項目Ｃ分析用の反応容器１９内の混合液の撹拌を行うことにより、長時間に亘って撹拌が行われずに混合が不十分となり、反応に悪影響を与える検査項目Ｃの分析データの悪化を防ぐことができる。
【０１６０】
また、各分析パラメータ設定画面７３，７４，７５の「反応時間」の欄に反応時間を設定することにより、最終ラウンドの終了のタイミングよりも早い反応時間に応じたタイミングで各検査項目Ａ，Ｂ，Ｃの分析データを出力させることができる。
【０１６１】
以上により、第１及び第２試薬分注プローブ２３，２７の数よりも多い数の試薬の反応時間を延長することができる。
【０１６２】
本発明のいくつかの実施形態を説明したが、これらの実施形態は、例として提示したものであり、発明の範囲を限定することを意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると共に、特許請求の範囲に記載された発明とその均等の範囲に含まれる。
【符号の説明】
【０１６３】
Ｐａ  試料吐出位置
Ｐｂ  第１試薬吐出位置
Ｐｃ  第１撹拌位置
Ｐｄ  第２試薬吐出位置
Ｐｅ  第２撹拌位置
Ｗ  洗浄位置
１９  反応容器
２１  サンプル分注プローブ
２３  第１試薬分注プローブ
２５  第１撹拌子
２７  第２試薬分注プローブ
２９  第２撹拌子
３１  測定部
４０  洗浄ノズル
５０  分析制御部
５１  移動機構部
５２  機構制御部
１００  自動分析装置
【図１】
2014070901.tif 000003
【図２】
2014070901.tif 000004
【図３】
2014070901.tif 000005
【図４】
2014070901.tif 000006
【図５】
2014070901.tif 000007
【図６】
2014070901.tif 000008
【図７】
2014070901.tif 000009
【図８】
2014070901.tif 000010
【図９】
2014070901.tif 000011